(57)【要約】【課題】  両連結材の連結解除作業を迅速、容易に行う。【解決手段】  一方の連結材の雄側連結筒部２と他方の連結材の雌側連結筒部３とが、雌側連結筒部３に形成されている係止孔１７と雄側連結筒部２に形成されている係止孔１９とが径方向で合致する状態にまで筒軸芯方向から脱着自在に嵌合接続され、雌側連結筒部３には、径方向外方から両係止孔１７，１９に係合する係合突起２２を備えた拡径側に弾性変形可能な連結操作体２３が外装され、この連結操作体２３には、係合突起２２が少なくとも雄側連結筒部２の係止孔１９から抜け出す係合解除状態にまで連結操作体２３を拡径側に弾性変形操作する操作手段２４が設けられ、連結操作体２３の周方向一端部が、雌側連結筒部３側に止着する止着手段２５が設けられ、連結操作体２３の周方向他端には、連結材を把持した手の指操作で連結操作体２３を係合解除状態に拡径操作可能な操作手段２４の操作部が形成されている。【選択図】        図８
2006300093.tif 000002
【特許請求の範囲】
【請求項１】
一方の連結材の雄側連結筒部と他方の連結材の雌側連結筒部とが、雌側連結筒部に形成されている係止孔と雄側連結筒部に形成されている係止孔とが径方向で合致する状態にまで筒軸芯方向から脱着自在に嵌合接続されているとともに、前記雌側連結筒部には、径方向外方から両係止孔に係合する係合突起を備えた拡径側に弾性変形可能な連結操作体が外装され、この連結操作体には、係合突起が少なくとも雄側連結筒部の係止孔から抜け出す係合解除状態にまで連結操作体を拡径側に弾性変形操作する操作手段が設けられている連結材の連結構造であって、
前記連結操作体の周方向一端部が、雌側連結筒部側に止着する止着手段が設けられているとともに、前記連結操作体の周方向他端には、連結材を把持した手の指操作で連結操作体を係合解除状態に拡径操作可能な操作手段の操作部が形成されている連結材の連結構造。
【請求項２】
前記雌側連結筒部には、雄側連結筒部の先端を雌側連結筒部内に導入案内するガイド面を備えた筒状の継手部材が外装され、この継手部材には連結操作体の係合突起が径方向外方から挿通される装着孔が形成されているとともに、前記継手部材に外装された連結操作体の係合突起が継手部材の装着孔を通して雌側連結筒部の係止孔に係合されている請求項１記載の連結材の連結構造。
【請求項３】
前記連結操作体には、継手部材に形成された周方向に沿うガイド溝に係合して、連結操作体の最大係合解除操作位置を規制する操作規制突起が設けられている請求項２記載の連結材の連結構造。
【請求項４】
前記継手部材のガイド面が、前記雌側連結筒部と雄側連結筒部が所定位置にまで嵌合接続されたとき、相手側の連結材における縮径の雄側連結筒部に連続するテーパー筒部に対して筒軸芯方向から当接するテーパー面に形成されている請求項２又は３記載の連結材の連結構造。
【請求項５】
前記止着手段が、連結操作体の周方向一端部と継手部材との相対向する部位に設けられた筒軸芯方向に沿う止着ピンと該止着ピンに対して相対回動自在に嵌合する嵌合孔から構成されているとともに、前記嵌合孔には、連結操作体の周方向他端部側に向かって開口する止着ピンの脱着口が形成されている請求項２，３又は４記載の連結材の連結構造。
【請求項６】
風呂用清掃部の取付け筒部とグリップとを連結する柄が、清掃部の取付け筒部に対して脱着自在に嵌合連結されるパイプ状の第１連結材と、該第１連結材の他端側の雄側連結筒部に対して脱着自在に嵌合接続される雌側連結筒部を一端に備え、かつ、他端側に第１連結材の雄側連結筒部と同一構造の雄側連結筒部を備えた１本又は複数本の第２連結材とから構成されているとともに、前記グリップには、第１連結材の雄側連結筒部と第２連結材の雄側連結筒部を選択的に脱着自在に嵌合接続可能な雌側連結筒部が形成されている風呂用清掃具。
【発明の詳細な説明】
【技術分野】
【０００１】
本発明は、一方の連結材の雄側連結筒部と他方の連結材の雌側連結筒部とを脱着自在に連結する連結構造及び連結構造を備えた風呂用清掃具の改良に関する。
【背景技術】
【０００２】
従来の連結材の連結構造では、一方のパイプ状の連結材の雄側連結筒部と他方のパイプ状の連結材の雌側連結筒部とが、雌側連結筒部に形成されている係止孔と雄側連結筒部に形成されている係止孔とが径方向で合致する状態にまで筒軸芯方向から脱着自在に嵌合接続されているとともに、前記雌側連結筒部の外周面には、径方向外方から両係止孔に係合する係合突起を備えた拡径側に弾性変形可能な横断面略Ｃ字状又は周方向１箇所が切断されたリング状の連結操作体が外装されている。
【０００３】
そして、特許文献１に示す連結構造では、Ｃ字状の連結操作体の周方向両端部の外周面に、係合突起が少なくとも雄側連結筒部の係止孔から抜け出す係合解除状態にまで連結操作体を拡径側に弾性変形させながら径方向外方に押し出し操作するための指かけ凸部が形成されているとともに、連結操作体の周方向両端部の内周面には、係合突起が係止孔から抜け出す係合解除状態に押し出し操作されたとき、雄側連結筒部の外周面の周方向二箇所に形成された窪み部に係合して連結操作体を係合解除された弾性変形状態に維持する掛止突起が一体形成されている。
【０００４】
また、特許文献２に示す連結構造では、リング状の連結操作体の周方向両端部を重合させるとともに、連結操作体の周方向一端部の外周面には、係合突起が少なくとも雄側連結筒部の係止孔から抜け出す係合解除状態にまで連結操作体を拡径側に弾性変形させるための指かけ操作突起が一体形成され、更に、係合突起が係止孔から抜け出す係合解除状態に押し操作されたとき、連結操作体の周方向両端部の端面同士が周方向から当接して連結操作体を係合解除された弾性変形状態に維持するように構成されている。
【０００５】
【特許文献１】特開２００２−１２２１０８号公報
【特許文献２】特開２００２−１５５９１１号公報
【発明の開示】
【発明が解決しようとする課題】
【０００６】
前者の連結構造では、両連結材の連結を解除する場合、Ｃ字状の連結操作体の周方向両端部に形成されている指かけ凸部を二本の指で同時に押し出し操作して、係合突起が少なくとも雄側連結筒部の係止孔から抜け出す係合解除状態にまで連結操作体を拡径側に弾性変形させる必要があるため、連結材を把持した手の指操作では手間取り易く、連結操作体の係合解除操作と両連結材の分離操作とを動作的に分けて行う必要がある。
【０００７】
また、後者の連結構造では、両連結材の連結を解除する場合、リング状の連結操作体の周方向他端側を押えた状態で連結操作体の周方向一端に形成された指かけ操作突起を押し操作して、係合突起が少なくとも雄側連結筒部の係止孔から抜け出す係合解除状態にまで連結操作体を拡径側に弾性変形させ、その状態で連結操作体の周方向両端部の端面同士を周方向から当接させる必要があるため、連結材を把持した手の指操作では手間取り易く、前者と同様に、連結操作体の係合解除操作と両連結材の分離操作とを動作的に分けて行う必要がある。
【０００８】
また、従来の風呂用清掃具では、パイプ状の一本の柄の一端部に、清掃部の取付け部に対して脱着自在に嵌合連結される雄側連結筒部を形成するとともに、柄の他端部にグリップが形成されている。
そのため、風呂場における距離の異なる複数箇所を楽な姿勢で清掃するためには、各清掃箇所の距離に対応した長さの異なる複数本のグリップ付き柄を準備する必要があり、全部揃える為にはコスト的に高く付く不都合がある。
【０００９】
本発明は、上述の実状に鑑みて為されたものであって、その主たる第１の課題は、両連結材の連結解除作業を迅速、容易に行うことのできる連結材の連結構造を提供する点にあり、第２の課題は、風呂場における距離の異なる複数の清掃箇所を楽な姿勢で清掃するためのコストを大幅に低減できる有用な風呂用清掃具を提供する点にある。
【課題を解決するための手段】
【００１０】
本発明による第１の特徴構成は、一方の連結材の雄側連結筒部と他方の連結材の雌側連結筒部とが、雌側連結筒部に形成されている係止孔と雄側連結筒部に形成されている係止孔とが径方向で合致する状態にまで筒軸芯方向から脱着自在に嵌合接続されているとともに、前記雌側連結筒部には、径方向外方から両係止孔に係合する係合突起を備えた拡径側に弾性変形可能な連結操作体が外装され、この連結操作体には、係合突起が少なくとも雄側連結筒部の係止孔から抜け出す係合解除状態にまで連結操作体を拡径側に弾性変形操作する操作手段が設けられている連結材の連結構造であって、
前記連結操作体の周方向一端部が、雌側連結筒部側に止着する止着手段が設けられているとともに、前記連結操作体の周方向他端には、連結材を把持した手の指操作で連結操作体を係合解除状態に拡径操作可能な操作手段の操作部が形成されている点にある。
【００１１】
上記特徴構成によれば、両連結材の連結を解除する場合、連結操作体の周方向一端部が雌側連結筒部側に止着されているため、連結操作体の周方向他端に形成された操作手段の操作部を、連結材を把持した手の指操作で容易に操作することができるばかりでなく、連結操作体の全体を小さな操作力で大きく弾性変形させることができる。
【００１２】
従って、連結操作体の係合解除操作と両連結材の分離操作とを、両連結材を両手で把持したままの指操作で同時に能率良く容易に行うことができる。
【００１３】
本発明による第２の特徴構成は、前記雌側連結筒部に、雄側連結筒部の先端を雌側連結筒部内に導入案内するガイド面を備えた筒状の継手部材が外装され、この継手部材には連結操作体の係合突起が径方向外方から挿通される装着孔が形成されているとともに、前記継手部材に外装された連結操作体の係合突起が継手部材の装着孔を通して雌側連結筒部の係止孔に係合されている点にある。
【００１４】
上記特徴構成によれば、前記雌側連結筒部に外装された継手部材のガイド面により、雄側連結筒部の先端を雌側連結筒部内に確実、スムーズに導入案内することができるとともに、この雌側連結筒部に対して継手部材を所定装着位置で固定するにあたっても、雌雄の両連結筒部を抜止め固定するために設けられている連結操作体の係合突起を利用して、雌側連結筒部と継手部とを抜止め状態で回り止め係合することができるから、構造の簡素化と製造コストの低廉化とを図ることができる。
【００１５】
本発明による第３の特徴構成は、前記連結操作体に、継手部材に形成された周方向に沿うガイド溝に係合して、連結操作体の最大係合解除操作位置を規制する操作規制突起が設けられている点にある。
【００１６】
上記特徴構成によれば、両連結材の連結を解除する場合、連結操作体に設けた操作規制突起と継手部材に形成されたガイド溝との係合により、連結操作体の最大係合解除操作位置を規制することができるから、係合突起が両連結筒部の係止孔から完全に抜け出して連結操作体が継手部材から分離されることがなく、連結操作体を必要最小限の操作で係合解除することができるばかりでなく、連結操作体の紛失も回避することができる。
【００１７】
本発明による第４の特徴構成は、前記継手部材のガイド面が、前記雌側連結筒部と雄側連結筒部が所定位置にまで嵌合接続されたとき、相手側の連結材における縮径の雄側連結筒部に連続するテーパー筒部に対して筒軸芯方向から当接するテーパー面に形成されている点にある。
【００１８】
上記特徴構成によれば、雌側連結筒部に外装された継手部材のガイド面により、雄側連結筒部の先端を雌側連結筒部内に確実、スムーズに導入案内することができるばかりでなく、両連結筒部が所定位置にまで嵌合接続された状態では、継手部材のテーパー面が相手側の連結材における縮径の雄側連結筒部に連続するテーパー筒部に対して筒軸芯方向から当接するから、雌側連結筒部に外装された継手部材のガタツキを防止することができるとともに、継手部材と連結材の芯出し精度を高めることができる。
【００１９】
本発明による第５の特徴構成は、前記止着手段が、連結操作体の周方向一端部と継手部材との相対向する部位に設けられた筒軸芯方向に沿う止着ピンと該止着ピンに対して相対回動自在に嵌合する嵌合孔から構成されているとともに、前記嵌合孔には、連結操作体の周方向他端部側に向かって開口する止着ピンの脱着口が形成されている点にある。
【００２０】
上記特徴構成によれば、前記止着ピンと嵌合孔との嵌合箇所を支点として、連結操作体に加えられる拡径側への係合解除操作力に抗して、連結操作体の周方向一端部を強固に嵌合支持しながらも、嵌合孔の脱着口を通して止着ピンを簡単に脱着することができるから、組付け作業の容易化、能率化を達成することができる。
【００２１】
本発明による第６の特徴構成は、風呂用清掃部の取付け筒部とグリップとを連結する柄が、清掃部の取付け筒部に対して脱着自在に嵌合連結されるパイプ状の第１連結材と、該第１連結材の他端側の雄側連結筒部に対して脱着自在に嵌合接続される雌側連結筒部を一端に備え、かつ、他端側に第１連結材の雄側連結筒部と同一構造の雄側連結筒部を備えた１本又は複数本の第２連結材とから構成されているとともに、前記グリップには、第１連結材の雄側連結筒部と第２連結材の雄側連結筒部を選択的に脱着自在に嵌合接続可能な雌側連結筒部が形成されている点にある。
【００２２】
上記特徴構成によれば、清掃部の取付け筒部に嵌合接続された第１連結材の雄側連結筒部に対してグリップの雌側連結筒部を嵌合接続することにより、最小長さの風呂用清掃具を現出することができ、また、前記第１連結材の雄側連結筒部とグリップの雌側連結筒部との間に１本又は複数本の第２連結材を嵌合接続することにより、中間長さ又は最大長さの風呂用清掃具を現出することができる。
【００２３】
従って、従来の風呂用清掃具に比して、風呂場における距離の異なる複数の清掃箇所を楽な姿勢で清掃するためのコストを大幅に低減することができるとともに、非使用時にはコンパクトに格納することができる。
【発明を実施するための最良の形態】
【００２４】
〔第１実施形態〕
図１〜図４は風呂用清掃具を示し、風呂用清掃部の一例である洗浄ブラシＡの筒状の取付け筒部１とグリップＢとを連結する柄Ｃが、洗浄ブラシＡの取付け筒部１に対して脱着自在に嵌合連結されるパイプ状のアルミニウム合金製の第１連結材Ｃ１と、該第１連結材Ｃ１の他端側の雄側連結筒部２に対して脱着自在に嵌合接続される雌側連結筒部３を一端に備え、かつ、他端側に第１連結材Ｃ１の雄側連結筒部２と同一構造の雄側連結筒部２を備えた１本又は複数本のパイプ状のアルミニウム合金製の第２連結材Ｃ２とから構成されているとともに、前記グリップＢには、第１連結材Ｃ１の雄側連結筒部２と第２連結材Ｃ２の雄側連結筒部２を選択的に脱着自在に嵌合接続可能な雌側連結筒部４が形成されている。
【００２５】
そして、当該実施形態では一本の第１連結材Ｃ１と二本の第２連結材Ｃ２を用いて、図２に示すように、洗浄ブラシＡの取付け筒部１に嵌合接続された第１連結材Ｃ１の雄側連結筒部２に対してグリップＢの雌側連結筒部４を嵌合接続することにより、最小長さの風呂用清掃具を現出することができ、また、図３に示すように、前記第１連結材Ｃ１の雄側連結筒部２とグリップＢの雌側連結筒部４との間に１本の第２連結材Ｃ２を嵌合接続することにより、中間長さ風呂用清掃具を現出することができ、更に、図４に示すように、前記第１連結材Ｃ１の雄側連結筒部２とグリップＢの雌側連結筒部４との間に２本の第２連結材Ｃ２を嵌合接続することにより、最大長さ風呂用清掃具を現出することができる。
【００２６】
前記洗浄ブラシＡは、図１〜図４に示すように、ブラシ毛５を植設してあるブラシ本体６の上面に左右一対のブラケット７を突設し、このブラケット７に、取付け筒部１の前端部を水平軸芯周りで揺動自在に枢支ピン８にて枢着して構成されている。
【００２７】
前記第１連結材Ｃ１の一端側の雌側連結筒部９には、図５、図６に示すように、洗浄ブラシＡの取付け筒部１内への挿入に連れて径方向内方に弾性変形する板バネ部１１Ａを備えた合成樹脂製の連結係止部材１１が嵌合固定されているとともに、前記板バネ部１１Ａの先端側には、第１連結材Ｃ１の雌側連結筒部９が洗浄ブラシＡの取付け筒部１内の所定連結位置にまで嵌合接続されたとき、洗浄ブラシＡの取付け筒部１に形成されている係止孔１Ａに係合する半球状の係止突起１１Ｂが一体形成されている。
【００２８】
前記第１連結材Ｃ１の雌側連結筒部９と洗浄ブラシＡの取付け筒部１との嵌合接続を解除する場合には、取付け筒部１の係止孔１Ａを通して連結係止部材１１の係止突起１１Ｂを径方向内方側に押し込み操作した状態で、第１連結材Ｃ１と取付け筒部１とを引抜き操作する。
【００２９】
次に、前記第１連結材Ｃ１と第２連結材Ｃ２の連結構造及び第２連結材Ｃ２同士の連結構造について説明する。
図７〜図１３に示すように、前記第１連結材Ｃ１の他端側には、第２連結材Ｃ２の雌側連結筒部３及びグリップＢの雌側連結筒部４の内径よりも僅かに小なる外径にまで縮径された雄側連結筒部２と、これに連続するテーパー筒部１３とが絞り形成されているとともに、前記雄側連結筒部２には、これが第２連結材Ｃ２の雌側連結筒部３又はグリップＢの雌側連結筒部４内の所定位置にまで嵌合接続されたとき、第２連結材Ｃ２の雌側連結筒部３に貫通形成されている第１係止孔１７又はグリップＢの雌側連結筒部４に貫通形成されている第２係止孔１８と径方向で合致する第３係止孔１９が形成されている。
【００３０】
前記第２連結材Ｃ２の他端側にも、前述の第１連結材Ｃ１の他端側と同様に、グリップＢの雌側連結筒部４の内径よりも僅かに小なる外径にまで縮径された雄側連結筒部２と、これに連続するテーパー筒部１３とが絞り形成されているとともに、これが第２連結材Ｃ２の雌側連結筒部３又はグリップＢの雌側連結筒部４内の所定位置にまで嵌合接続されたとき、第２連結材Ｃ２の雌側連結筒部３に貫通形成されている第１係止孔１７又はグリップＢの雌側連結筒部４に貫通形成されている第２係止孔１８と径方向で合致する第３係止孔１９が形成されている。
【００３１】
前記第２連結材Ｃ２の雌側連結筒部３は、これに連続する中間筒部１４と同径に構成されているとともに、この雌側連結筒部３には、雄側連結筒部２の先端を雌側連結筒部３内に導入案内するガイド面１５を備えた合成樹脂製の筒状の継手部材１６が外装され、更に、前記継手部材１６のガイド面１５が、前記雌側連結筒部３と雄側連結筒部２が所定位置にまで嵌合接続されたとき、相手側の第１連結材Ｃ１又は第２連結材Ｃ２における縮径の雄側連結筒部２に連続するテーパー筒部１３に対して筒軸芯Ｘ方向から当接するテーパー面に形成されている。
【００３２】
前記継手部材１６の外周面に形成された環状装着溝２０の底面には、雌側連結筒部３の第１係止孔１７と径方向で連通する装着孔２１が形成されているとともに、前記環状装着溝２０には、径方向外方から両係止孔１７，１９に係合する係合突起２２を備えた拡径側に弾性変形可能な合成樹脂製の略Ｃの字状の連結操作体２３が外装され、この連結操作体２３には、係合突起２２が少なくとも雄側連結筒部２の係止孔１９から抜け出す係合解除状態にまで連結操作体２３を拡径側に弾性変形操作する操作手段２４が設けられている。
【００３３】
前記連結操作体２３の周方向一端部が、雌側連結筒部３に装着された継手部材１６に止着する止着手段２５が設けられているとともに、前記連結操作体２３の周方向他端には、第２連結材Ｃ２を把持した手の指操作で連結操作体２３を係合解除状態に拡径操作可能な操作手段２４を構成する操作部が、継手部材１６の外周面よりも外方に突出する状態で形成され、更に、前記連結操作体２３には、継手部材１６に形成された周方向に沿うガイド溝２６に係合して、連結操作体２３の最大係合解除操作位置を規制する操作規制突起２７が一体形成されている。
【００３４】
前記連結操作体２３の係合突起２２が嵌合接続された雌雄の両連結筒部３，２の係止孔１７，１９に係合している非操作状態では、前記操作規制突起２７はガイド溝２６の一端側に位置し、連結操作体２３の係合突起２２が雄側連結筒部２の係止孔１９から径方向外方に離脱した係合解除状態では、前記操作規制突起２７はガイド溝２６の他端に当接位置し、この位置が最大係合解除操作位置に設定されている。
【００３５】
前記連結操作体２３の係合突起２２の先端面には、径方向内方に向かって突出するカムフォロアー２８が一体形成されているとともに、前記雄側連結筒部２には、雌側連結筒部３に対する雄側連結筒部２嵌合接続に連れて連結操作体２３のカムフォロアー２８の先端面を雄側連結筒部２の外径にまで径方向外方に摺動案内することにより、連結操作体２３の係合突起２２による係合を解除させるテーパー状のカム溝２９が絞り形成されている。
【００３６】
前記止着手段２５を構成するに、継手部材１６の外周面における環状装着溝２０の両側脇で、かつ、連結操作体２３の周方向一端部と筒軸芯Ｘ方向で相対向する部位に突設された膨出支持部１６Ａには、筒軸芯Ｘ方向に沿う止着ピン２５Ａが一体形成されているとともに、連結操作体２３の周方向一端部には、継手部材１６の止着ピン２５Ａに対して筒軸芯Ｘ方向に沿う軸芯周りで相対回動自在に嵌合する嵌合孔２５Ｂが形成され、更に、前記嵌合孔２５Ｂには、連結操作体２３の周方向他端部側に向かって開口する止着ピン２５Ａの脱着口２５Ｃが形成されている。
【００３７】
前記雌側連結筒部３に対する継手部材１６の接続内周面１６Ｂは、開口側が若干大径となるテーパー面に形成されているとともに、この継手部材１６の接続内周面１６Ｂには、嵌合接続された雌側連結筒部３の外周面との当接に伴って弾性変形する周方向複数本の弾性挾持用の突条３０と、雌側連結筒部３の先端側の周方向二箇所に切欠き形成された凹部３１に筒軸芯Ｘ方向から係合する回り止め用の凸部３２が形成されている。
【００３８】
次に、前記グリップＢの雌側連結筒部４と第１連結材Ｃ１の雄側連結筒部２又は第２連結材Ｃ２の雄側連結筒部２との連結構造について説明する。
図１４、図１５に示すように、前記グリップＢの雌側連結筒部４の内周面には、雄側連結筒部２が嵌合接続される直管内周面状の第１接続内周面４Ａとテーパー筒部１３が嵌合接続されるテーパー状の第２接続内周面４Ｂが形成されているとともに、前記雌側連結筒部４の外周面には、係合突起２２を備えた拡径側に弾性変形可能な前記の連結操作体２３を外装するための第２環状装着溝３３が形成されているとともに、この第２環状装着溝３３の底面には、雌側連結筒部３の第１係止孔１７と径方向で連通する第２係止孔１８が形成されている。
【００３９】
そして、前記雌側連結筒部４の第２環状装着溝３３に装着された連結操作体２３の係合突起２２を、嵌合接続されている雌側連結筒部４の第２係止孔１８と雄側連結筒部２の第１係止孔１９とに対して径方向外方から係合させることにより、グリップＢの雌側連結筒部４と第１連結材Ｃ１の雄側連結筒部２又は第２連結材Ｃ２の雄側連結筒部２とをガタのない状態で抜止め固定することができる。
【００４０】
また、前記グリップＢの雌側連結筒部４と第１連結材Ｃ１の雄側連結筒部２又は第２連結材Ｃ２の雄側連結筒部２との嵌合接続を解除する場合には、操作規制突起２７がガイド溝２６の他端側の最大係合解除操作位置に到達するまで連結操作体２３の操作部２４を操作することにより、連結操作体２３の係合突起２２が雄側連結筒部２の係止孔１９から径方向外方に抜け出した係合解除状態となる。
【００４１】
〔その他の実施形態〕
（１）上述の第１実施形態では、前記連結操作体２３の周方向一端部を、前記雌側連結筒部３に外装された継手部材１６に止着したが、この継手部材１６が存在しない場合には、連結操作体２３の周方向一端部を雌側連結筒部３に直接に止着してもよい。
また、前記止着手段２５としては、第１連結材Ｃ１又は第２連結材Ｃ２を把持した手の指操作で連結操作体２３を係合解除状態に拡径操作する際、連結操作体２３の周方向一端部が移動しないように雌側連結筒部３側に止め付けておくことのできるものであれば、如何なる構造に構成してもよい。
（２）前記雌側連結筒部３とこれに外装される継手部材１６との間に、雌側連結筒部３に対して継手部材１６を固定する固定手段を設けてもよい。
【図面の簡単な説明】
【００４２】
【図１】本願発明の風呂用清掃具の分解平面図
【図２】最小長さの風呂用清掃具を示す平面図と側面図
【図３】中間長さの風呂用清掃具を示す平面図と側面図
【図４】最大長さの風呂用清掃具を示す平面図と側面図
【図５】洗浄ブラシと第１連結材との連結構造を示す接続時の断面側面図
【図６】洗浄ブラシと第１連結材との連結構造を示す分離時の断面側面図
【図７】第１連結材と第２連結材又は第２連結材同士の連結構造を示す接続時の断面側面図
【図８】連結構造の分離時の断面底面図
【図９】連結操作体を備えた継手部材の断面側面図
【図１０】図９におけるＸ−Ｘ線断面図
【図１１】連結操作体と継手部材の分離状態を示す一方向からの斜視図
【図１２】連結操作体と継手部材の分離状態を示す他方向からの斜視図
【図１３】係合解除操作時の断面正面図
【図１４】グリップと第１連結材又は第２連結材との連結構造を示す接続時の断面側面図
【図１５】連結構造の分離時の断面側面図
【符号の説明】
【００４３】
Ａ        風呂用清掃部（洗浄ブラシ）
Ｂ        グリップ
Ｃ        柄
Ｃ１      第１連結材
Ｃ２      第２連結材
Ｘ        筒軸芯
１        取付け筒部
２        雄側連結筒部
３        雌側連結筒部
４        雄側連結筒部
１３      テーパー筒部（第２テーパー筒部）
１５      ガイド面
１６      継手部材
１７      係止孔（第１係止孔）
１８      係止孔（第２係止孔）
１９      係止孔（第３係止孔）
２２      係合突起
２３      連結操作体
２４      操作手段（操作部）
２５      止着手段
２５Ａ    止着ピン
２５Ｂ    嵌合孔
２５Ｃ    脱着口
２６      ガイド溝
２７      操作規制突起
【図１】
2006300093.tif 000003
【図２】
2006300093.tif 000004
【図３】
2006300093.tif 000005
【図４】
2006300093.tif 000006
【図５】
2006300093.tif 000007
【図６】
2006300093.tif 000008
【図７】
2006300093.tif 000009
【図８】
2006300093.tif 000010
【図９】
2006300093.tif 000011
【図１０】
2006300093.tif 000012
【図１１】
2006300093.tif 000013
【図１２】
2006300093.tif 000014
【図１３】
2006300093.tif 000015
【図１４】
2006300093.tif 000016
【図１５】
2006300093.tif 000017